(57)【要約】【課題】外部部品を用いることなくワイヤーハーネスと防音シートとを固定する。【解決手段】防音シートは、面状に広がる防音材によって形成されたシート本体と、シート本体の周縁部の一部と一体的に防音材によって形成された紐部材とを備えている。そして、紐部材は、シート本体の周縁部の一部からそれぞれ延設されているとともに、輪を形成した状態で互いに結び合わせ可能な第１紐部と第２紐部とを備える。【選択図】図１
2014241661.tif 000002
【特許請求の範囲】
【請求項１】
面状に広がる防音材によって形成されたシート本体と、
前記シート本体の周縁部の一部と一体的に前記防音材によって形成された紐部材と、
を備え、
前記紐部材は、
前記周縁部の前記一部からそれぞれ延設されているとともに、輪を形成した状態で互いに結び合わせ可能な第１紐部と第２紐部とを備える、防音シート。
【請求項２】
請求項１に記載の防音シートであって、
前記防音材は不織布であり、
前記シート本体は、面状に広がるとともに、前記紐部材よりも厚みが厚いベース部を備え、
前記紐部材の嵩密度が、前記ベース部の嵩密度よりも高い、防音シート。
【請求項３】
請求項１または２に記載の防音シートであって、
前記防音材は、樹脂を含む不織布であり、
前記紐部材は、熱によって硬化している、防音シート。
【請求項４】
請求項１から請求項３の何れか１つの請求項に記載の防音シートであって、
前記紐部材は、帯状に形成されており、一方の面よりも、他方の面が軟らかい、防音シート。
【請求項５】
請求項１から請求項４の何れか１つの請求項に記載の防音シートであって、
前記紐部材は、帯状に形成されており、一方の面に凹凸模様が形成されている、防音シート。
【請求項６】
請求項１から請求項５の何れか１つの請求項に記載の防音シートであって、
前記シート本体の周縁部に、前記シート本体の中心側に向けて窪んだ凹部が形成されているとともに、前記紐部材は、前記凹部に収まるように前記凹部の縁部と一体的に形成されている、防音シート。
【請求項７】
請求項１から請求項６の何れか１つの請求項に記載の防音シートと、
前記防音シート上に配索され、一端が前記防音シートの前記一部から前記紐部材上を通って外部に引き出されているワイヤーハーネスと、
面状に広がって形成され、前記防音シートとの間に前記ワイヤーハーネスを挟んだ状態で前記防音シートに重ね合わされている固定部材と、
を備え、
前記第１紐部と前記第２紐部とが前記ワイヤーハーネスの外周に巻回されて互いに結び合わされることにより、前記ワイヤーハーネスが前記紐部材に固定されている、防音シート付きワイヤーハーネス。
【請求項８】
請求項７に記載の防音シート付きワイヤーハーネスであって、
前記固定部材は、防音材によって形成されている、防音シート付きワイヤーハーネス。
【発明の詳細な説明】
【技術分野】
【０００１】
本発明は、配索されたワイヤーハーネスが発する異音を抑制する技術に関する。
【背景技術】
【０００２】
自動車に代表される車両に配索されるワイヤーハーネスは、振動などにより周囲の部材と接触して異音を発しないことが要求される。
【０００３】
特許文献１には、ワイヤーハーネスを２枚の防音シートで挟むことにより、異音の発生を防止しつつワイヤーハーネスを保護する電線保護具が示されている。具体的には、各防音シートの周縁部には、２カ所の切り欠き部によって挟まれた突出部が形成されている。防音シート同士はワイヤーハーネスを互いの間に挟むとともに、突出部同士が互いに対向するように重ね合わされており、突出部同士の間からワイヤーハーネスの一端が外部に引き出されている。そして、ワイヤーハーネスを挟み込んだ各突出部の上から粘着テープや結束バンドが巻きつけられて、ワイヤーハーネスと突出部とが固定されている。
【先行技術文献】
【特許文献】
【０００４】
【特許文献１】特開２０１２−１５５９９０号公報
【発明の概要】
【発明が解決しようとする課題】
【０００５】
しかしながら、特許文献１の電線保護具には、ワイヤーハーネスと防音シートの突出部とを互いに固定するために粘着テープや結束バンドなどの外部部品が必要であるため、コスト上昇を招くといった問題がある。
【０００６】
本発明は、こうした問題を解決するためになされたもので、防音シート上に配索されるワイヤーハーネスの外部への引出部分において、外部部品を用いることなくワイヤーハーネスと防音シートとを固定できる技術を提供することを目的とする。
【課題を解決するための手段】
【０００７】
上記の課題を解決するために、第１の態様に係る防音シートは、面状に広がる防音材によって形成されたシート本体と、前記シート本体の周縁部の一部と一体的に前記防音材によって形成された紐部材と、を備え、前記紐部材は、前記周縁部の前記一部からそれぞれ延設されているとともに、輪を形成した状態で互いに結び合わせ可能な第１紐部と第２紐部とを備える。
【０００８】
第２の態様に係る防音シートは、第１の態様に係る防音シートであって、前記防音材は不織布であり、前記シート本体は、面状に広がるとともに、前記紐部材よりも厚みが厚いベース部を備え、前記紐部材の嵩密度が、前記ベース部の嵩密度よりも高い。
【０００９】
第３の態様に係る防音シートは、第１または第２の態様に係る防音シートであって、前記防音材は、樹脂を含む不織布であり、前記紐部材は、熱によって硬化している。
【００１０】
第４の態様に係る防音シートは、第１から第３の何れか１つの態様に係る防音シートであって、前記紐部材は、帯状に形成されており、一方の面よりも、他方の面が軟らかい。
【００１１】
第５の態様に係る防音シートは、第１から第４の何れか１つの態様に係る防音シートであって、前記紐部材は、帯状に形成されており、一方の面に凹凸模様が形成されている。
【００１２】
第６の態様に係る防音シートは、第１から第５の何れか１つの態様に係る防音シートであって、前記シート本体の周縁部に、前記シート本体の中心側に向けて窪んだ凹部が形成されているとともに、前記紐部材は、前記凹部に収まるように前記凹部の縁部と一体的に形成されている。
【００１３】
第７の態様に係る防音シート付きワイヤーハーネスは、第１から第６の何れか１つの態様に係る防音シートと、前記防音シート上に配索され、一端が前記防音シートの前記一部から前記紐部材上を通って外部に引き出されているワイヤーハーネスと、面状に広がって形成され、前記防音シートとの間に前記ワイヤーハーネスを挟んだ状態で前記防音シートに重ね合わされている固定部材と、を備え、前記第１紐部と前記第２紐部とが前記ワイヤーハーネスの外周に巻回されて互いに結び合わされることにより、前記ワイヤーハーネスが前記紐部材に固定されている。
【００１４】
第８の態様に係る防音シート付きワイヤーハーネスは、第７の態様に係る防音シート付きワイヤーハーネスであって、前記固定部材は、防音材によって形成されている。
【発明の効果】
【００１５】
第１から第８の何れの態様に係る発明によっても、防音シートは、面状に広がる防音材によって形成されたシート本体と、シート本体の周縁部の一部と一体的に当該防音材によって形成された紐部材とを備えている。そして、紐部材は、周縁部の一部からそれぞれ延設されているとともに、輪を形成した状態で互いに結び合わせ可能な第１紐部と第２紐部とを備える。従って、防音シート上に配索されたワイヤーハーネスが紐部材を経て外部に引き出された状態で、第１紐部と第２紐部とがワイヤーハーネスを内包する輪を形成するように第１紐部と第２紐部とをワイヤーハーネスの外周に巻き付けて互いに結び合わせることによって、外部部品を用いることなく、ワイヤーハーネスと防音シートとを固定できる。
【００１６】
第２の態様に係る発明によれば、防音材は、不織布であり、シート本体は、面状に広がるとともに、紐部材よりも厚みが厚いベース部を備え、紐部材の嵩密度が、ベース部の嵩密度よりも高い。従って、ベース部に比べて紐部材の強度が上がって切れにくいとともに、伸びにくいので、ワイヤーハーネスの外周に紐部材を巻き付け易い。
【００１７】
第３の態様に係る発明によれば、防音材は、樹脂を含む不織布であり、紐部材は、熱によって硬化している。従って、紐部材の強度がさらに上がって、切れにくくなるとともに、伸びにくくなるので、ワイヤーハーネスの外周に紐部材をより巻き付け易い。
【００１８】
第４の態様に係る発明によれば、紐部材は、帯状に形成されており、一方の面よりも、他方の面が軟らかい。従って、他方の面が外側になるように紐部材をワイヤーハーネスに巻き付けることによって、巻き付けられた紐部材と、周囲の部材との接触による異音の発生をより抑制できる。
【００１９】
第５の態様に係る発明によれば、紐部材は、帯状に形成されており、一方の面に凹凸模様が形成されている。従って、一方の面がワイヤーハーネスの外周に当接するように紐部材をワイヤーハーネスに巻き付けることによって、よりずれないようにワイヤーハーネスを紐部材に固定できる。
【００２０】
第６の態様に係る発明によれば、シート本体の周縁部に、シート本体の中心側に向けて窪んだ凹部が形成されるとともに、紐部材は、凹部に収まるように凹部の縁部と一体的に形成されている。従って、防音シートの周縁部から紐部材が飛び出さないようにできるので、同じ面積の防音材のシートからより多くの防音シートを製造できる。
【図面の簡単な説明】
【００２１】
【図１】実施形態に係る防音シートを例示する斜視図である。
【図２】実施形態に係る防音シートに加工される原防音シートを例示する斜視図である。
【図３】図１の防音シートの上面図である。
【図４】図１の防音シートと固定部材とに挟まれたワイヤーハーネスの一端が紐部材によって固定された防音シート付きワイヤーハーネスを示す上面図である。
【図５】ワイヤーハーネスへの紐部材の巻き付け方を例示する図である。
【図６】ワイヤーハーネスへの紐部材の巻き付け方を例示する図である。
【図７】他の実施形態に係る防音シートと固定部材とを備える防音シート付きワイヤーハーネスを示す斜視図である。
【発明を実施するための形態】
【００２２】
以下、本発明の実施形態を図面に基づいて説明する。図面では同様な構成および機能を有する部分に同じ符号が付され、下記説明では重複説明が省略される。
【００２３】
＜実施形態について＞
実施形態に係る防音シート１は、防音シート１上に配索されるワイヤーハーネスが発する異音を抑制するとともに、防音シート１から外部に引き出されたワイヤーハーネスを固定するために用いられる部材である。防音シート１は、防音材によって形成されている。防音材（消音材）としては、例えば、住友スリーエム株式会社より販売されているシンサレートなどの防音性に優れた不織布が採用されるが、発泡樹脂などの不織布以外の部材が防音材として採用されてもよい。合成樹脂繊維によって形成されているシンサレートなどの不織布は、樹脂を含む不織布であり、熱を加えることによって繊維の少なくとも一部が溶けて、曲げることができる柔軟性を保ちつつ硬化し得る。防音材が含む不織布として、熱可塑性のバインダーを含んだ樹脂が採用されてもよい。このような不織布して、具体的には、個々の樹脂繊維の回りを鞘状のバインダーが包んでいるものや、個々の樹脂繊維の間に粒状のバインダーが分散されているものなどが採用される。
【００２４】
防音シート１は、シート本体１０と、紐部材２０とを備えて形成されている（図１参照）。シート本体１０は、面状に広がる防音材によって形成されており、紐部材２０は、シート本体１０の周縁部の一部と一体的に防音材によって形成されている。
【００２５】
シート本体１０は、板状のベース部１１と、外側片１２および１３と、内側片１４とを備えて形成されている。外側片１２および１３と、内側片１４とは、ベース部１１よりも厚みが薄い板状の形状をそれぞれ有しており、外側片１２および１３の間に、内側片１４が挟まれるように、ベース部１１の縁部１８に沿ってそれぞれ縁部１８と一体的に延設されている。また、外側片１２と内側片１４とは一体的に形成され、内側片１４と外側片１３とは一体に形成されている。そして、シート本体１０の上面視において、外側片１２、１３の外向きの端面よりも内側片１４の外向きの端面が、シート本体１０の中心側に位置している。また、外側片１２、１３、および内側片１４のそれぞれの下面（底面）と、ベース部１１の下面（底面）とは、面一に形成されている。
【００２６】
紐部材２０は、ベース部１１の縁部１８に沿って、内側片１４の延設方向の中央寄りの部分１５と一体的に帯状に延設されている。すなわち、紐部材２０は、シート本体１０の周縁部の一部と一体的に防音材によって形成されている。また、紐部材２０は、紐部（「第１紐部」）２１と紐部（「第２紐部」）２２とを備えて形成されている。紐部２１と紐部２２とは、内側片１４の中央寄りの部分１５、すなわちシート本体１０の周縁部の一部からベース部１１の縁部１８に沿って互いに異なる方向にそれぞれ延設されている。紐部材２０の一方の端部と、外側片１２の他方の端部とは、スリット状の隙間部３１を隔てて対向しており、紐部材２０の他方の端部と、外側片１３の一方の端部とは、スリット状の隙間部３２によって隔てられている。内側片１４の前端部のうち部分１５よりも外側片１２側の部分と、紐部２１の後端縁とは、スリット状の隙間部３３によって互いに隔てられており、内側片１４の前端部のうち部分１５よりも外側片１３側の部分と、紐部２２の後端縁とは、スリット状の隙間部３４によって互いに隔てられている。
【００２７】
紐部材２０の下面は、ベース部１１の下面と面一に形成されている。また、後述するように、防音シート１は、防音材によって面状に形成された原防音シート５が圧縮等されることにより製造されている。紐部材２０は、原防音シート５をベース部１１よりも高い圧縮率で圧縮することによってベース部１１よりも薄く、嵩密度が高くなるように形成されている。これにより、紐部材２０は、ベース部１１よりも強度が強くなるとともに、伸びにくくなっている。換言すれば、紐部材２０は、ベース部１１よりも引っ張り強度が強くなるように圧縮されている。なお、本発明において、ベース部１１の嵩密度とは、内部の空隙を含めたベース部１１全体の体積でベース部１１全体の重量を除した値であり、紐部材２０の嵩密度とは、内部の空隙を含めた紐部材２０全体の体積で紐部材２０全体の重量を除した値である。
【００２８】
また、紐部材２０は、防音シート１が製造される際に加熱されており、加熱時の熱によって、紐部２１および２２を互いに結び合わせることができる柔軟性を保ちつつ加熱前よりも硬化している。より詳細には、紐部材２０の上面と下面とのうち、上面のみが熱によって硬化している。当該硬化によっても、紐部材２０、すなわち紐部２１、２２の強度が向上するとともに、伸びにくくなっている。紐部材２０が単に圧縮されるだけで熱による硬化がされないとしても繊維同士のからみあいによって、ベース部１１と紐部材２０との嵩密度の差は維持できるが、熱による硬化によって、紐部材２０は、圧縮された状態の形状と、ベース部１１に対する嵩密度の差とをより維持できる。このように、紐部材２０は、紐部材２０は、嵩密度がシート本体１０よりも高いことと、熱による硬化とによって、強度が増すとともに、伸びにくくなっている。これにより、紐部２１、２２は、引き絞ったとしても切れにくく、また伸びにくくなっており、ワイヤーハーネスを内包する輪を形成するようにワイヤーハーネスの外周に巻き付けられた状態で、互いに結び合わせ可能となっている。また、紐部材２０がベース部１１に比べて薄く形成されていることによっても、断面積が小さいことにより紐部２１および２２の相互の結び合わせが容易となっている。
【００２９】
従って、防音シート１上に配索されたワイヤーハーネスＷが紐部材２０を経て外部に引き出された状態で、紐部２１と紐部２２とがワイヤーハーネスＷを内包する輪を形成するように紐部２１と紐部２２とをワイヤーハーネスＷの外周に巻き付けて互いに結び合わせることによって、接着テープや結束バンドなどの外部部品を用いることなく、ワイヤーハーネスＷと防音シート１とを互いに固定できる（図３、図４参照）。なお、結び合わせの強弱によっても、紐部材２０に対するワイヤーハーネスＷのずれの防止度合いを調整することができる。紐部材２０は、帯状に形成されていなくても良く、例えば、断面正方形などの柱状体であってもよい。
【００３０】
なお、紐部材２０の上面と下面とのうち、上面のみが熱によって硬化しているため、上面（一方の面）よりも下面（他方の面）が軟らかくなっている。これにより、上面がワイヤーハーネスＷに当接するように紐部２１、２２をワイヤーハーネスＷに巻き付けると、硬い上面がワイヤーハーネスＷ側を向き、軟らかい下面が外側に向いた状態となる。従って、外部の部材が、ワイヤーハーネスＷに巻き付けられた紐部材２０に接触したとしても、異音の発生を抑制することが出来る。なお、紐部材２０の両面が、熱によって硬化していてもよい。また、両面ともに熱によって硬化していない場合でも、紐部材２０の嵩密度がベース部１１よりも高ければ、紐部材２０による巻き付けと結び合わせによってワイヤーハーネスＷを固定できる。従って、紐部材２０の両面が、ともに熱によって硬化していなくてもよい。
【００３１】
また、紐部材２０の上面には、複数の溝部が形成されている。各溝部２５は、他の溝部２５と交差するように形成されており、各溝部２５によって囲まれた部分は、囲んでいる各溝部２５から離れるほど、当該各溝部２５よりも盛り上がっている。これにより、紐部材２０の上面には、ローレット状のぎざぎざの凹凸模様が形成されている。従って、上面の静止摩擦力がより強くなっており、上面がワイヤーハーネスＷに巻き付けられると、ワイヤーハーネスがずれにくく、異音が発生しにくくなっている。なお、凹凸模様が形成されていないとしても、ワイヤーハーネスＷを紐部材２０に固定することは出来るので、凹凸模様が形成されていなくてもよい。
【００３２】
防音シート１は、例えば、防音材によって面状に形成された原防音シート５がプレス機による打ち抜き加工によって予め設定された形状に切断等されることによって、製造される（図２参照）。より詳細には、原防音シート５のうち防音シート１の外側片１２、１３、内側片１４、および紐部２２となる部分が、原防音シート５の両面側のそれぞれから各金型によって圧縮されるとともに、隙間部３１〜３４となる部分の切り抜きと、防音シート１の先端部の切断とが行われる。ベース部１１は、圧縮されないため、防音性が特に高くなる。また、紐部材２０の上面に対向する金型が熱せられるとともに、紐部材２０の下面に対向する金型が熱せられないことにより、紐部材２０の上面と下面とのうち、上面側のみが加熱されて硬化している。また、紐部材２０の上面に形成される凹凸模様は、金型の紐部材２０の上面に対向する部分に当該凹凸模様の裏返し形状の凹凸模様が形成されていることにより形成されている。
【００３３】
このように、一回のプレス動作中に、圧縮、切り抜き、切断、加熱、および凹凸模様の形成処理が原防音シート５に対して行われることによって、防音シート１が原防音シート５から製造されている。また、防音シート１においては、外側片１２、１３、および内側片１４は、ベース部１１よりも圧縮されているが、圧縮されていなくてもよいし、外側片１２、１３および内側片１４が熱によって硬化していなくてもよい。
【００３４】
シート本体１０の周縁部には、上面視において、外側片１２の他方の端面と、外側片１３の一方の端面と、内側片１４の外向きの端面とによって囲まれた凹部が形成されている。当該凹部は、上面視において、シート本体１０の中心側に向けて窪んで形成されている。そして、紐部材２０は、上面視において、当該凹部からはみ出ないように、すなわち、当該凹部に収まるように、内側片１４の中央寄りの部分１５、すなわち当該凹部の縁部と一体的に形成されている。これにより、原防音シート５から防音シート１を製造する際の歩留まりが向上する。なお、紐部材２０が、内側片１４に収まることなく外側に飛び出しているとしても、紐部材２０によってワイヤーハーネスＷを防音シート１固定できるので、本発明の有用性を損なうものではない。また、外側片１２、１３および内側片１４のうち少なくとも１つが設けられないとしても、本発明の有用性を損なうものではない。
【００３５】
防音シート付きワイヤーハーネス１００は、防音シート１と、防音シート１上に配索されて一端が防音シート１の一部から紐部材２０上を通って外部に引き出されているワイヤーハーネスＷと、固定部材２とを備えて構成されている（図４参照）。固定部材２は、防音材が面状に広がって形成されており、防音シート１との間にワイヤーハーネスＷを挟んだ状態で防音シート１に重ね合わされて、防音シート１上のワイヤーハーネスＷを防音シート１に固定している。これにより、ワイヤーハーネスＷのずれによる異音の発生が抑制される。また、防音シート１と固定部材２とは、超音波による熱溶着や、両面粘着テープなどによってワイヤーハーネスＷを間に挟んで互いに固定されている。
【００３６】
また、ワイヤーハーネスＷが紐部材２０から防音シート１の外部に引き出されて、紐部２１と紐部２２とがワイヤーハーネスＷの外周に巻回されて結び目２９を形成するように互いに結び合わされることにより、ワイヤーハーネスＷが紐部材２０に固定されている。固定部材２として、防音材が採用されなくてもよいが、防音材が採用されればワイヤーハーネスＷが防音シート１上で動いたときの異音の発生をより抑制できる。固定部材２にも紐部材２０に相当する部材を設けて、当該部材を用いてワイヤーハーネスＷを固定部材２に固定するとともに、紐部材２０を用いてワイヤーハーネスＷを防音シート１に固定してもよい。
【００３７】
防音シート付きワイヤーハーネス１００におけるワイヤーハーネスは、本線である場合もあれば、本線と、本線から分岐した枝線とである場合もある。特に、防音シート１と固定部材２との間に本線が挟まれた状態で本線から分岐した枝線が紐部材２０の部分から防音シート１および固定部材２の外部に引き出される場合には、大径のワイヤーハーネスＷ１や、小径のワイヤーハーネスＷ２のように太さ（径）が種々異なるワイヤーハーネスを紐部材２０によって固定する必要が有る（図５、図６参照）。ワイヤーハーネスが太い場合と細い場合とでは、外周の長さが異なるため、同じ巻き付け方で紐部材２０の紐部２１、２２をワイヤーハーネスに巻き付けようとすると、ワイヤーハーネスの太さに応じて、紐部２１、２２の必要な長さが異なってくる。
【００３８】
ここで、紐部材２０を巻き付けて結び合わせることによりワイヤーハーネスを固定する場合には、太いワイヤーハーネスは細いワイヤーハーネスに比べてよりずれにくくなる。このため、太いワイヤーハーネスＷ１が使用される場合には、例えば、一重の輪を形成するように紐部２１、紐部２２をワイヤーハーネスＷ１の外周に巻き回して互いを結び合わせることによりワイヤーハーネスＷ１を紐部材２０にしっかりと固定することが出来る（図５参照）。逆に、細いワイヤーハーネスＷ２が使用される場合には、例えば、二重の輪を形成するように紐部２１、２２をワイヤーハーネスＷ２の外周に巻き回して互いを結び合わせることによりワイヤーハーネスＷ２を紐部材２０にしっかりと固定することが出来る（図６参照）。また、ワイヤーハーネスの太さに応じた紐部２１、２２の巻き付け方の調整に加えて、紐部２１、２２の結び合わせ方をワイヤーハーネスＷの太さに応じて調整してもよい。ワイヤーハーネスの太さに応じて、紐部２１、２２の巻き付け方や、結び合わせ方を変更すれば、紐部２１、２２のうち余長部分を減らして紐部材２０の無駄を抑制できるとともに、ワイヤーハーネスを紐部材２０によってしっかりと固定できる。
【００３９】
防音シート付きワイヤーハーネス２００は、防音シート１ａと、固定部材２ａと、防音シート１ａおよび固定部材２ａの間に挟まれているワイヤーハーネスＷ３とを備えて構成されている（図７参照）。固定部材２ａは、防音シート付きワイヤーハーネス１００の固定部材２と同様の構成を備えている。防音シート１ａは、防音シート付きワイヤーハーネス１００の防音シート１における紐部材２０と同様の紐部材２０ａ、２０ｂを互いに隣り合う周縁部にそれぞれ備えている。ワイヤーハーネスＷ３は、防音シート１ａと固定部材２ａとの間に挟まれた状態で防音シート１ａ上に配索されており、紐部材２０ａ、２０ｂが形成されている部分において、ワイヤーハーネスＷ３の両端部分が、防音シート１ａの外部に引き出されている。ワイヤーハーネスＷ３の両端部分は、紐部材２０ａの紐部２１ａ、２２ａと、紐部材２０ｂの紐部２１ｂ、２２ｂとが、それぞれ巻き付けられて結び合わされることによって、防音シート１ａに固定されている。また、ワイヤーハーネスＷ３の両端は、車体に固定されているコネクタ４１、４２とそれぞれ接続されている。
【００４０】
このように、車両に配索されるワイヤーハーネスを防音シートと固定部材とで挟んで保護する場合には、ワイヤーハーネスは、通常、防音シートの周縁部における予め決められた部分から外部へ引き出される。そして、ワイヤーハーネスのうち外部に引き出される両端部分の長さも、通常、予め決められている。紐部２１ａ、２２ａによってワイヤーハーネスの一端側の部分が防音シート１ａに固定されるとともに、紐部２１ｂ、２２ｂによって、ワイヤーハーネスの他端側の部分が防音シート１ａに固定されれば、ワイヤーハーネスのうち固定された両端部分の間の部分が防音シート１ａと固定部材２ａとの間でずれ動いたとしても、ワイヤーハーネスの保護と異音の発生の抑制とを図ることが出来る。
【００４１】
以上のような本実施の形態に係る防音シートおよび防音シート付きワイヤーハーネスの何れによっても、防音シートは、面状に広がる防音材によって形成されたシート本体と、シート本体の周縁部の一部と一体的に当該防音材によって形成された紐部材とを備えている。そして、紐部材は、周縁部の一部からそれぞれ延設されているとともに、輪を形成した状態で互いに結び合わせ可能な紐部２１（第１紐部）と紐部２２（第２紐部）とを備える。従って、防音シート上に配索されたワイヤーハーネスが紐部材を経て外部に引き出された状態で、第１紐部と第２紐部とがワイヤーハーネスを内包する輪を形成するように第１紐部と第２紐部とをワイヤーハーネスの外周に巻き付けて互いに結び合わせることによって、外部部品を用いることなく、ワイヤーハーネスと防音シートとを固定できる。
【００４２】
また、以上のような本実施の形態に係る防音シートによれば、防音材は、不織布であり、シート本体は、面状に広がるとともに、紐部材よりも厚みが厚いベース部を備え、紐部材の嵩密度が、ベース部の嵩密度よりも高い。従って、ベース部に比べて紐部材の強度が上がって切れにくいとともに、伸びにくいので、ワイヤーハーネスの外周に紐部材を巻き付け易い。
【００４３】
また、以上のような本実施の形態に係る防音シートによれば、防音材は、樹脂を含む不織布であり、紐部材は、熱によって硬化している。従って、紐部材の強度がさらに上がって、切れにくくなるとともに、伸びにくくなるので、ワイヤーハーネスの外周に紐部材をより巻き付け易い。
【００４４】
また、以上のような本実施の形態に係る防音シートによれば、紐部材は、帯状に形成されており、一方の面よりも、他方の面が軟らかい。従って、他方の面が外側になるように紐部材をワイヤーハーネスに巻き付けることによって、巻き付けられた紐部材と、周囲の部材との接触による異音の発生をより抑制できる。
【００４５】
また、以上のような本実施の形態に係る防音シートによれば、紐部材は、帯状に形成されており、一方の面に凹凸模様が形成されている。従って、一方の面がワイヤーハーネスの外周に当接するように紐部材をワイヤーハーネスに巻き付けることによって、よりずれないようにワイヤーハーネスを紐部材に固定できる。
【００４６】
また、以上のような本実施の形態に係る防音シートによれば、シート本体の周縁部に、シート本体の中心側に向けて窪んだ凹部が形成されるとともに、紐部材は、凹部に収まるように凹部の縁部と一体的に形成されている。従って、防音シートの周縁部から紐部材が飛び出さないようにできるので、同じ面積の防音材のシートからより多くの防音シートを製造できる。
【００４７】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００４８】
１  防音シート
２  固定部材
５  原防音シート
１０  シート本体
１１  ベース部
１００，２００  防音シート付きワイヤーハーネス
１２、１３  外側片
１４  内側片
２０  紐部材
２１  紐部（第１紐部）
２２  紐部（第２紐部）
２５  溝部
３１，３２，３３，３４  隙間部
４１，４２  コネクタ
Ｗ，Ｗ１，Ｗ２，Ｗ３  ワイヤーハーネス
【図１】
2014241661.tif 000003
【図２】
2014241661.tif 000004
【図３】
2014241661.tif 000005
【図４】
2014241661.tif 000006
【図５】
2014241661.tif 000007
【図６】
2014241661.tif 000008
【図７】
2014241661.tif 000009